(57)【要約】【課題】  同一シリーズの録画番組を再生する際に、番組本編以外の放送部分の録画データを除外して再生する放送番組記録再生装置および放送番組記録再生方法を提供すること。【解決手段】  受信した同一シリーズの複数の放送番組を記録する記録手段２０と、前記記録手段２０に記録された複数の放送番組に共通する区間をスキップ区間として検出するスキップ区間検出手段２２と、前記記録手段２０に記録された放送番組の中から選択された放送番組を、前記スキップ区間検出手段２２で検出されたスキップ区間をスキップして再生する再生処理手段１３とを備えることを特徴とする。【選択図】  図１
2008193585.tif 000002
【特許請求の範囲】
【請求項１】
同一シリーズの複数の放送番組を記録するとともに、記録された前記複数の放送番組から選択された放送番組を再生する放送番組記録再生装置において、
受信した前記複数の放送番組を記録する記録手段と、
前記記録手段に記録された複数の放送番組に共通する区間をスキップ区間として検出するスキップ区間検出手段と、
前記記録手段に記録された放送番組の中から選択された放送番組を、前記スキップ区間検出手段で検出されたスキップ区間をスキップして再生する再生処理手段と、
を備えることを特徴とする放送番組記録再生装置。
【請求項２】
前記スキップ区間検出手段で検出されたスキップ区間を蓄積するデータ蓄積手段を有し、
前記再生処理手段は、前記スキップ区間検出手段で検出されたスキップ区間または前記データ蓄積手段に蓄積されたスキップ区間と同一の区間をスキップして、前記選択された放送番組を再生する
ことを特徴とする請求項１に記載の放送番組記録再生装置。
【請求項３】
前記スキップ区間検出手段は、前記データ蓄積手段に蓄積されたスキップ区間を参照して前記選択された放送番組のスキップ区間を検出する
ことを特徴とする請求項２に記載の放送番組記録再生装置。
【請求項４】
同一シリーズの複数の放送番組を記録するとともに、記録された前記複数の放送番組から選択された放送番組を再生する放送番組記録再生装置において、
受信した前記複数の放送番組を記録する記録手段と、
スキップ区間を特定するために予め設定された特定情報に基づいて、前記選択された放送番組のコンテンツデータを解析することにより前記スキップ区間を検出するスキップ区間検出手段と、
前記選択された放送番組を、前記スキップ区間検出手段で検出されたスキップ区間をスキップして再生する再生処理手段と、
を備えることを特徴とする放送番組記録再生装置。
【請求項５】
同一シリーズの複数の放送番組を記録するとともに、記録された前記複数の放送番組から選択された放送番組を再生する放送番組記録再生装置において、
受信した前記複数の放送番組を記録する記録手段と、
前記記録手段に記録された放送番組に対する、ユーザによる過去の再生制御操作の履歴を記録するユーザ再生操作履歴管理手段と、
前記ユーザ再生操作履歴管理手段に記録された前記再生操作の履歴を参照して、スキップ区間を検出するスキップ区間検出手段と、
前記記録手段に記録された放送番組の中から選択された放送番組を、前記スキップ区間設定手段で設定されたスキップ区間をスキップして再生する再生処理手段と、
を備えることを特徴とする放送番組記録再生装置。
【請求項６】
同一シリーズの複数の放送番組を記録する記録ステップと、
記録された複数の放送番組に共通する区間をスキップ区間として検出するスキップ区間検出ステップと、
記録された放送番組の中から選択された放送番組を、前記スキップ区間検出ステップで検出されたスキップ区間をスキップして再生する再生処理ステップと、
を備えることを特徴とする放送番組記録再生方法。
【請求項７】
同一シリーズの複数の放送番組を記録する記録ステップと、
記録された放送番組に対する、ユーザによる過去の再生制御操作の履歴を記録するユーザ再生操作履歴管理ステップと、
前記ユーザ再生操作履歴管理ステップに記録された前記再生操作の履歴を参照して、スキップ区間を設定するスキップ区間設定ステップと、
記録された放送番組の中から選択された放送番組を、前記スキップ区間設定ステップで設定されたスキップ区間をスキップして再生する再生処理ステップと、
を備えることを特徴とする放送番組記録再生方法。
【発明の詳細な説明】
【技術分野】
【０００１】
本発明は、放送番組を記録および再生する放送番組記録再生装置および放送番組記録再生方法に関する。
【背景技術】
【０００２】
従来、テレビジョン放送番組などの映像コンテンツを記録および再生する記録再生装置として、ハードディスク、光ディスク、または半導体メモリなどの大容量記録媒体を用いたハードディスクレコーダ（ＨＤＤレコーダ）やＤＶＤレコーダなどの記録再生装置が広く普及している。
【０００３】
これらの大容量記録媒体を用いた記録再生装置は大量のコンテンツを録画することが可能であり、ユーザは録画しておいたコンテンツを好きな時間に視聴し楽しむことができる。
【０００４】
しかし、このようにコンテンツを録画して楽しむことができるようになった一方で、記録媒体に録画された数多くのコンテンツを効率よく視聴できるようにすることが望まれている。
【０００５】
この課題を解決するための手段として、特許文献１〜４に示すように同一シリーズの複数の録画番組を連続的に再生することで、ユーザがコンテンツを視聴し終わる毎に次に視聴する録画番組を探して指定する手間を軽減する技術がある。
【特許文献１】特開平１１−２５２４９４号公報
【特許文献２】特開２００１−２６６４５７号公報
【特許文献３】特開２００２−２１８３３３号公報
【特許文献４】特開２００６−７４５８６号公報
【発明の開示】
【発明が解決しようとする課題】
【０００６】
上記特許文献１〜４に記載された技術を利用することにより、ユーザがコンテンツを視聴し終わる毎に次に視聴する録画番組を探して指定する手間を軽減し操作にかかる時間を低減することはできるが、さらに時間的に効率よく、数多くのコンテンツを視聴する技術が望まれていた。
【０００７】
そこで本発明は、同一シリーズの録画番組を再生する際に、番組本編以外の放送部分の録画データを除外して再生する放送番組記録再生装置および放送番組記録再生方法を提供することを目的とする。
【課題を解決するための手段】
【０００８】
上記目的を達成するための本発明の放送番組記録再生装置（１）は、同一シリーズの複数の放送番組を記録するとともに、記録された前記複数の放送番組から選択された放送番組を再生するものであり、受信した前記複数の放送番組を記録する記録手段（２０）と、前記記録手段（２０）に記録された複数の放送番組に共通する区間をスキップ区間として検出するスキップ区間検出手段（２２）と、前記記録手段（２０）に記録された放送番組の中から選択された放送番組を、前記スキップ区間検出手段（２２）で検出されたスキップ区間をスキップして再生する再生処理手段（１３）とを備えることを特徴とする。
【０００９】
また、この放送番組記録再生装置（１）は、前記スキップ区間検出手段（２２）で検出されたスキップ区間を蓄積するデータ蓄積手段（２２４）を有し、前記再生処理手段（１３）は、前記スキップ区間検出手段（２２）で検出されたスキップ区間または前記データ蓄積手段（２２４）に蓄積されたスキップ区間と同一の区間をスキップして、前記選択された放送番組を再生するように構成してもよい。
【００１０】
また、この放送番組記録再生装置（１）は、前記スキップ区間検出手段（２２）が前記データ蓄積手段（２２４）に蓄積されたスキップ区間を参照して前記選択された放送番組のスキップ区間を検出するように構成してもよい。
【００１１】
また、本発明の放送番組記録再生装置（３）は、同一シリーズの複数の放送番組を記録するとともに、記録された前記複数の放送番組から選択された放送番組を再生するものであり、受信した前記複数の放送番組を記録する記録手段（２０）と、スキップ区間を特定するために予め設定された特定情報に基づいて、前記選択された放送番組のコンテンツデータを解析することにより前記スキップ区間を検出するスキップ区間検出手段（２２）と、前記選択された放送番組を、前記スキップ区間検出手段（２２）で検出されたスキップ区間をスキップして再生する再生処理手段（１３）とを備えることを特徴とする。
【００１２】
また、本発明の放送番組記録再生装置（４）は、同一シリーズの複数の放送番組を記録するとともに、記録された前記複数の放送番組から選択された放送番組を再生するものであり、受信した前記複数の放送番組を記録する記録手段（２０）と、前記記録手段（２０）に記録された放送番組に対する、ユーザによる過去の再生制御操作の履歴を記録するユーザ再生操作履歴管理手段（２８）と、前記ユーザ再生操作履歴管理手段（２８）に記録された前記再生操作の履歴を参照して、スキップ区間を設定するスキップ区間設定手段（２２）と、前記記録手段（２０）に記録された放送番組の中から選択された放送番組を、前記スキップ区間設定手段（２２）で設定されたスキップ区間をスキップして再生する再生処理手段（１３）とを備えることを特徴とする。
【００１３】
また、本発明の放送番組記録再生方法（１）は、同一シリーズの複数の放送番組を記録する記録ステップ（２０）と、記録された複数の放送番組に共通する区間をスキップ区間として検出するスキップ区間検出ステップ（２２）と、記録された放送番組の中から選択された放送番組を、前記スキップ区間検出ステップ（２２）で検出されたスキップ区間をスキップして再生する再生処理ステップ（１３）とを備えることを特徴とする。
【００１４】
また、本発明の放送番組記録再生方法（４）は、同一シリーズの複数の放送番組を記録する記録ステップ（２０）と、記録された放送番組に対する、ユーザによる過去の再生制御操作の履歴を記録するユーザ再生操作履歴管理ステップ（２８）と、前記ユーザ再生操作履歴管理ステップ（２８）に記録された前記再生操作の履歴を参照して、スキップ区間を設定するスキップ区間設定ステップ（２２）と、記録された放送番組の中から選択された放送番組を、前記スキップ区間設定ステップ（２２）で設定されたスキップ区間をスキップして再生する再生処理ステップ（１３）とを備えることを特徴とする。
【００１５】
尚、本発明において同一シリーズの複数番組とは、連続ドラマのように番組内容に連続性のある複数番組や、あるいは、毎週番組内容が変わる映画や、番組構成が同じ複数番組でも良く、要は、複数の番組の間でオープニングやエンディング等の番組中に重複した内容が含まれる複数番組をいうものである。
【発明の効果】
【００１６】
本発明の放送番組記録再生装置および放送番組記録再生方法によれば、同一シリーズの複数の録画番組を再生する際に、オープニング、エンディング、次回予告などの番組本編以外の放送部分の録画データを除外して再生することができる。
【発明を実施するための最良の形態】
【００１７】
《第１実施形態》
本発明の第１実施形態では、録画された複数の番組の中から同一シリーズの録画番組を抽出し、共通して毎回放送されるオープニング区間をスキップして再生処理する放送番組記録再生装置について説明する。
【００１８】
〈第１実施形態による放送番組記録再生装置の構成〉
本発明の第１実施形態による放送番組記録再生装置１の構成を、図１を参照して説明する。
【００１９】
本実施形態による放送番組記録再生装置１は、放送受信部としてのアンテナ１１と、放送選局手段１２と、再生処理手段１３と、出力手段１４と、リモコン制御受信手段１５と、ユーザ制御手段１６と、選局切替制御手段１７と、録画制御手段１８と、録画信号処理手段１９と、記録手段２０と、再生制御手段２１と、スキップ区間検出手段２２とを有する。
【００２０】
〈第１実施形態による放送番組記録再生装置１の動作〉
本実施形態による放送番組記録再生装置１により放送番組が録画および再生されるときの動作について説明する。
【００２１】
本実施形態による放送番組記録再生装置１により放送番組が録画されるときは、まずユーザの操作により放送番組記録再生装置１の電源が投入されることによりアンテナ１１において放送局から送信される放送電波が受信され、チューナである放送選局手段１２においてデフォルトで設定されているチャンネルが選局される。
【００２２】
本実施形態において、ユーザが放送番組記録再生装置１に対して行う操作は、ユーザが操作するリモコンからリモコン制御受信手段１５を介して行われるか、または直接ユーザが放送番組記録再生装置１を接触操作することにより行われる。
【００２３】
放送選局手段１２においてデフォルトで設定されているチャンネルが選局されると、再生処理手段１３においてこの選局されたチャンネルの圧縮された放送信号が放送電波から取得される。
【００２４】
さらに、再生処理手段１３において取得された圧縮された放送信号が伸張され、再生信号が生成される。
【００２５】
再生処理手段１３で生成された再生信号は出力手段１４に送出され、出力手段１４において表示信号に変換され、外部の表示装置等に送信される。
【００２６】
ここで、ユーザの操作によりユーザ制御手段１６において視聴チャンネルを切り替える指示が取得されると、チャンネル切替要求が生成されて選局切替手段１７に送出され、選局切替手段１７において放送選局手段１２で選局されるチャンネルが切り替えられる制御が行われる。
【００２７】
このように放送番組記録再生装置１の電源が投入され、受信された放送信号が外部の表示装置に送信されている状態で、ユーザの操作により録画が指示されたときは、ユーザ制御手段１６において録画要求が生成され、録画制御手段１８に送出される。
【００２８】
録画制御手段１８で録画要求が取得されることにより、録画制御手段１８の制御で録画信号処理手段１９を介して受信中の放送信号の映像・音声データが記録手段２０に記録され録画される。
【００２９】
本実施形態においては、この録画処理により複数の放送番組が録画されたものとする。
【００３０】
次に、録画された放送番組が再生されるときの動作について、図２のフローチャートを参照して説明する。
【００３１】
まず、放送番組記録再生装置１の電源が投入された状態で、ユーザの操作により録画番組に対する再生指示がユーザ制御手段１６で取得されると、ユーザ制御手段１６において再生要求が生成されて再生制御手段２１に送出される。
【００３２】
再生制御手段２１では、再生要求が取得されるとこの再生要求に対応する録画番組の再生指示が生成され、この再生指示が記録手段２０に送出される。
【００３３】
記録手段２０では、再生制御手段２１から取得した再生指示により記録されている映像・音声データが抽出され、再生処理手段１３に送出される。
【００３４】
再生処理手段１３で取得された映像・音声データは、出力手段１４を介して外部の表示装置に表示され再生される。
【００３５】
このようにして再生が指示された録画番組の再生処理が開始されると（Ｓ１）、この再生処理が開始されたことが再生制御手段２１からスキップ区間検出手段２２に通知され、再生処理をスキップするスキップ区間の検出処理が行われる（Ｓ２）。
【００３６】
スキップ区間検出手段２２におけるスキップ区間の検出処理について、図３のフローチャートを参照して説明する。
【００３７】
録画番組の再生処理が開始されたことが再生制御手段２１から通知されスキップ区間検出処理が開始されると（Ｓ１１）、まず処理対象である再生中の録画番組と同一シリーズの番組が過去に記録されているかが判断される（Ｓ１２）。
【００３８】
再生中の録画番組と同一シリーズの番組が過去に記録されていると判断されたときは（Ｓ１２の「YES」）、この過去に記録された同一シリーズの録画番組のスキップ区間が記録されているか否かが判断される（Ｓ１３）。
【００３９】
過去に記録された同一シリーズの録画番組のスキップ区間が記録されていると判断されたときには（Ｓ１３の「YES」）、この記録されているスキップ区間が再生中の録画番組のスキップ区間として利用され、スキップ区間検出処理が終了される。
【００４０】
ステップＳ１３において過去に記録された同一シリーズの録画番組のスキップ区間が記録されていないと判断されたときには（Ｓ１３の「NO」）、処理対象の録画番組に、スキップ区間検出処理を行う対象範囲が、例えばオープニングやエンディングなどを含む区間に予め指定されているか否かが判断される（Ｓ１４）。
【００４１】
スキップ区間検出処理を行う対象範囲が指定されていれば（Ｓ１４の「YES」）この指定に従ってスキップ区間検出処理を行う対象範囲が設定され（Ｓ１５）、指定されていなければ（Ｓ１４の「NO」）スキップ区間検出処理の対象範囲は設定されず、処理対象の録画番組全体に対してスキップ区間検出処理が行われるように設定される。
【００４２】
次に、処理対象の録画番組および過去に記録された同一シリーズの録画番組の、ステップＳ１５で設定された対象範囲または録画番組全体の映像・音声データが抽出され、比較処理が行われる（Ｓ１６）。
【００４３】
比較処理の結果、一定区間にわたって共通する映像データまたは音声データがあるか否かが判断され（Ｓ１７）、共通するデータがあったときには（Ｓ１７の「YES」）この一定区間がスキップ区間として検出され、保存される（Ｓ１８）。
【００４４】
ステップＳ１２において再生中の録画番組と同一シリーズの番組が過去に記録されていないと判断されたとき（Ｓ１２の「NO」）、および、ステップＳ１７において処理対象の録画番組と過去に記録された同一シリーズの録画番組との間に共通するデータがないと判断されたとき（Ｓ１７の「NO」）は、スキップ区間はないと判断され（Ｓ１９）、スキップ区間の検出処理が終了される。
【００４５】
以上でスキップ区間検出処理の説明を終了する。
【００４６】
図２に戻り、ステップＳ２のスキップ区間検出処理でスキップ区間が検出されたか否かが再生制御手段２１で判断され（Ｓ３）、スキップ区間が検出されたときには検出された区間がスキップされるよう処理され再生処理が継続される（Ｓ４、Ｓ５）。
【００４７】
スキップ区間が検出されていなければスキップ処理は行われずステップＳ５に移り、再生処理が継続される（Ｓ５）。
【００４８】
次に、再生位置が番組終了位置であるか否かが再生処理手段１３において判断され（Ｓ６）、番組終了位置に達していなければ（Ｓ６の「NO」）ステップＳ２に戻り処理が繰り返され、番組終了位置に達したときは（Ｓ６の「YES」）、次に継続して再生する録画番組があるか否かが再生制御手段２１において判断される（Ｓ７）。
【００４９】
ステップＳ７において次に継続して再生する録画番組があると判断されたときには（Ｓ７の「YES」）ステップＳ１に戻り処理が繰り返され、次に継続して再生する録画番組がないと判断されたときには（Ｓ７の「NO」）再生処理が終了される。
【００５０】
以上の第１実施形態によれば、同一シリーズの番組の中から一定区間にわたって共通するデータの部分がスキップされるため、毎回同一映像、音声で放送されるオープニングやエンディングなどを削除して番組本編のみを再生させることができ、視聴時間を短縮することができる。
【００５１】
《第２実施形態》
本発明の第２実施形態では、録画された複数の番組の中から同一シリーズの録画番組を抽出し、抽出された同一シリーズの録画番組において既に検出されているスキップ区間情報を利用してオープニング区間をスキップして再生処理を行う放送番組記録再生装置について説明する。
【００５２】
〈第２実施形態による放送番組記録再生装置の構成〉
本発明の第２実施形態による放送番組記録再生装置２の主な構成は、第１実施形態の放送番組記録再生装置１の構成と同様であるため詳細な説明は省略する。
【００５３】
本実施形態におけるスキップ区間検出手段２２内の詳細な構成について図４を参照して説明する。
【００５４】
スキップ区間検出手段２２は、再生指示取得手段２２１と、対象範囲データ抽出手段２２２と、対象範囲データ比較手段２２３と、データ蓄積手段２２４と、スキップ区間指定手段２２５と、スキップ区間位置情報記録手段２２６と、スキップ区間開始終了位置検出手段２２７と、検出範囲データ抽出手段２２８とを有する。
【００５５】
〈第２実施形態による放送番組記録再生装置２の動作〉
本実施形態による放送番組記録再生装置２により放送番組が録画されるときの動作は、第１実施形態と同様であるため詳細な説明は省略する。
【００５６】
本実施形態による放送番組記録再生装置２により放送番組が再生されるときの動作については、図２のステップＳ２におけるスキップ区間検出処理の動作を除いては、第１実施形態と同様であるため詳細な説明は省略する。
【００５７】
本実施形態において、まず図６中の録画コンテンツ（２週目）２０２からスキップ区間を検出する場合について図５のフローチャートを参照して説明する。
【００５８】
再生制御手段２１において録画コンテンツ（２週目）２０２の再生指示が生成されると再生指示取得手段２２１で取得され（Ｓ２１）、処理対象である再生指示された録画コンテンツ（２週目）２０２と同一シリーズの番組が過去に記録されているかが判断される（Ｓ２２）。
【００５９】
ここでは、再生指示された録画コンテンツ（２週目）２０２と同一シリーズの番組である録画コンテンツ（１週目）２０１が過去に記録されていると判断され（Ｓ２２の「YES」）、さらにこの録画コンテンツ（１週目）２０１のスキップ区間情報が記録されているか否かが判断される（Ｓ２３）。
【００６０】
この録画コンテンツ（１週目）２０１にはスキップ区間情報は記録されていないと再生指示取得手段２２１において判断され（Ｓ２３の「NO」）、予め指定されているスキップ区間検出対象範囲である時刻ｔ０〜ｔ１の映像・音声データが録画コンテンツ（１週目）２０１および録画コンテンツ（２週目）２０２からスキップ区間検出処理の対象範囲として設定される。
【００６１】
ここでは、録画コンテンツ（１週目）２０１の時刻ｔ０〜ｔ１のデータ部分「ア」＋オープニング部分「OP」＋データ部分「イ」と、録画コンテンツ（２週目）２０２の時刻ｔ０〜ｔ１のデータ部分「エ」＋オープニング部分「OP」＋データ部分「オ」とが、スキップ区間検出処理の対象範囲として設定される（Ｓ２４、Ｓ２５）。
【００６２】
次に、対象範囲データ抽出手段２２２においてこの設定された区間の映像・音声テータが記録手段２０から抽出され、対象範囲データ比較手段２２３において比較処理が行われる（Ｓ２６）。
【００６３】
比較の結果、録画コンテンツ（１週目）２０１の時刻ｔ２〜ｔ３のオープニング部分「OP」と、録画コンテンツ（２週目）２０２の時刻ｔ４〜ｔ５のオープニング部分「OP」が一致すると判断され（Ｓ２７の「YES」）、このオープニング部分「OP」の録画コンテンツ（１週目）２０１および録画コンテンツ（２週目）２０２における位置情報がスキップ区間情報として検出されデータ蓄積手段２２４に保存され、さらにこのスキップ区間の開始位置の画像データおよび終了位置の画像データが基準データとしてデータ蓄積手段２２４に保存される（Ｓ２８）。
【００６４】
また、対象範囲データ比較手段２２３で検出されたスキップ区間情報に基づいてスキップ区間指定手段２２５において録画コンテンツ（２週目）２０２においてオープニング部分「OP」である時刻ｔ４〜ｔ５のデータの再生をスキップさせるためのスキップ区間指定情報が生成されて（Ｓ２９）再生制御手段２１に送出され、録画コンテンツ（２週目）２０２のスキップ再生処理に用いられる。
【００６５】
ステップＳ２２において再生指示された録画番組と同一シリーズの番組が過去に記録されていないと判断されたとき（Ｓ２２の「NO」）、および、ステップＳ２７において処理対象の録画番組と過去に記録された同一シリーズの録画番組との間に共通するデータがないと判断されたとき（Ｓ２７の「NO」）は、スキップ区間はないと判断され（Ｓ３０）、スキップ区間の検出処理が終了される。
【００６６】
次に、上述したように録画コンテンツ（２週目）２０２のスキップ区間の情報が検出され保存されている状態で、図６中の録画コンテンツ（３週目）２０３からスキップ区間を検出する場合について同様に図５のフローチャートを参照して説明する。
【００６７】
再生制御手段２１において録画コンテンツ（３週目）２０３の再生指示が生成されると再生指示取得手段２２１で取得され（Ｓ２１）、処理対象である再生指示された録画コンテンツ（３週目）２０３と同一シリーズの番組が過去に記録されているかが判断される（Ｓ２２）。
【００６８】
ここでは、再生指示された録画コンテンツ（３週目）２０３と同一シリーズの番組である録画コンテンツ（１週目）２０１および録画コンテンツ（２週目）２０２が過去に記録されていると判断され（Ｓ２２の「YES」）、さらにこの録画コンテンツ（１週目）２０１または録画コンテンツ（２週目）のスキップ区間が記録されているか否かが判断される（Ｓ２３）。
【００６９】
このステップＳ２３では、録画コンテンツ（２週目）２０２のスキップ区間が記録されていると判断され（Ｓ２３の「YES」）、データ蓄積手段２２４に保存されている録画コンテンツ（２週目）２０２のスキップ区間情報および基準データがスキップ区間位置情報記録手段２２６で取得される（Ｓ３１）。
【００７０】
スキップ区間位置情報記録手段２２６でスキップ区間情報および基準データが取得されると、これらのスキップ区間情報および基準データを基にスキップ区間開始終了位置検出手段２２７においてまず録画コンテンツ（３週目）２０３におけるスキップ区間の開始位置が検出される。
【００７１】
スキップ区間開始終了位置検出手段２２７では、取得されたスキップ区間情報を参照して録画コンテンツ（３週目）２０３内でスキップ区間開始位置を検出する範囲が設定され、この範囲内の映像・音声データが検出範囲データ抽出手段２２８で抽出される（Ｓ３２）。
【００７２】
次に、スキップ区間開始終了位置検出手段２２７において、取得された基準データの開始位置の画像データと抽出された録画コンテンツ（３週目）２０３内のスキップ区間開始位置を検出する範囲の映像データとが比較される。
【００７３】
比較の結果、抽出された録画コンテンツ（３週目）２０３内にスキップ区間開始位置の画像データが検出さないときには（Ｓ３３の「NO」）検出範囲が終了しているか否かが判断され（Ｓ３４）、検出範囲が終了していなければ（Ｓ３４の「NO」）、ステップＳ３３のスキップ区間開始位置の画像データの検出処理が継続される。
【００７４】
ステップＳ３４において検出範囲が終了していれば（Ｓ３４の「YES」）、スキップ区間検出処理が終了される。
【００７５】
ステップＳ３３においてスキップ区間開始位置の画像データが検出されたときは（Ｓ３３の「YES」）、検出された録画コンテンツ（３週目）２０３内における位置情報が保存される。
【００７６】
ここでは、録画コンテンツ（２週目）２０２のスキップ区間情報のスキップ区間開始位置である時刻ｔ４が参照されて検出処理が行われ、録画コンテンツ（３週目）２０３のスキップ区間開始位置として時刻ｔ６が検出され保存される。
【００７７】
また、スキップ区間開始位置の画像データが検出されたときはスキップ区間開始終了位置検出手段２２７においてさらに録画コンテンツ（３週目）２０３におけるスキップ区間の終了位置が検出される。
【００７８】
スキップ区間開始終了位置検出手段２２７では、取得されたスキップ区間情報を参照して録画コンテンツ（３週目）２０３内でスキップ区間終了位置を検出する範囲が設定され、この範囲内の映像・音声データが検出範囲データ抽出手段２２８で抽出される（Ｓ３５）。
【００７９】
次に、スキップ区間開始終了位置検出手段２２７において、取得された基準データの終了位置の画像データと抽出された録画コンテンツ（３週目）２０３内のスキップ区間終了位置を検出する範囲の映像データとが比較される。
【００８０】
比較の結果、抽出された録画コンテンツ（３週目）２０３内にスキップ区間終了位置の画像データが検出さないときには（Ｓ３６の「NO」）検出範囲が終了しているか否かが判断され（Ｓ３７）、検出範囲が終了していなければ（Ｓ３７の「NO」）、ステップＳ３６のスキップ区間終了位置の画像データの検出処理が継続される。
【００８１】
ステップＳ３７において検出範囲が終了していれば（Ｓ３７の「YES」）、ステップＳ３３で検出されたスキップ区間開始位置の位置情報が破棄され、スキップ区間検出処理が終了される。
【００８２】
ステップＳ３７において終了位置の画像データが検出されたときは（Ｓ３６の「YES」）、検出された録画コンテンツ（３週目）２０３内の位置情報がステップＳ３３で検出されたスキップ区間開始位置の位置情報とともに録画コンテンツ（３週目）２０３のスキップ区間情報としてデータ蓄積手段２２４に保存される（Ｓ２８）。
【００８３】
ここでは、録画コンテンツ（２週目）２０２のスキップ区間情報のスキップ区間終了位置である時刻ｔ５が参照されて検出処理が行われ、録画コンテンツ（３週目）２０３のスキップ区間終了位置として時刻ｔ７が検出され、スキップ区間開始位置情報の時刻ｔ６とともに保存される。
【００８４】
また、スキップ区間開始終了位置検出手段２２７で検出されたスキップ区間情報に基づいてスキップ区間指定手段２２５において録画コンテンツ（３週目）２０３においてオープニング部分「OP」である時刻ｔ６〜ｔ７のデータの再生をスキップさせるためのスキップ区間指定情報が生成されて再生制御手段２１に送出され、録画コンテンツ（３週目）２０３のスキップ再生処理に用いられる。
【００８５】
以上の第２実施形態によれば、過去に録画された番組と同一シリーズの録画番組を再生する際に、過去に録画された番組のスキップ区間情報を利用することにより再生する番組のスキップ区間を高速に検出して再生処理を行うことができる。
【００８６】
なお、本実施形態におけるスキップ区間検出処理は、録画番組の再生処理をしながら実行してもよいし、また録画指示を取得したときに再生処理を行う前に実行しておいてもよい。
【００８７】
《第３実施形態》
本発明の第３実施形態では、録画された複数の番組の中から同一シリーズの録画番組を抽出し、オープニング区間およびエンディング区間をスキップして連続再生する放送番組記録再生装置について説明する。
【００８８】
〈第３実施形態による放送番組記録再生装置の構成〉
本発明の第３実施形態による放送番組記録再生装置３の構成について、図７を参照して説明する。
【００８９】
本実施形態による放送番組記録再生装置３は、番組情報取得解析手段２３と、番組情報管理手段２４と、再生コンテンツ選択手段２５と、シリーズコンテンツ抽出手段２６と、ＣＭ検出手段２７とを有する他は第１実施形態の放送番組記録再生装置１の構成と同様であるため詳細な説明は省略する。
【００９０】
〈第３実施形態による放送番組記録再生装置３の動作〉
本実施形態による放送番組記録再生装置３により放送番組が録画されるときの動作について説明する。
【００９１】
まず第１実施形態と同様に、放送番組記録再生装置１の電源が投入され、受信された放送信号が外部の表示装置に送信されている状態でユーザの操作により指示された録画要求がユーザ制御手段１６から録画制御手段１８で取得されることにより、録画処理が開始される。
【００９２】
録画処理が開始されると、録画制御手段１８で取得された録画要求が番組情報取得解析手段２３および録画信号処理手段１９に送出される。
【００９３】
番組情報取得解析手段２３では、録画要求が取得されると放送選局手段１２で選局され受信されている放送信号または外部の回線からＥＰＧ情報が取得され、このＥＰＧ情報からさらに録画対象の放送番組の番組情報が抽出される。
【００９４】
番組情報取得解析手段２３で抽出されたの番組情報は録画制御手段１８の制御により番組情報管理手段２４で取得される。
【００９５】
また、録画信号処理手段１９では録画要求が取得されると、受信中の放送信号から映像・音声データが取得され記録手段２０への録画が開始される。
【００９６】
また、番組情報管理手段２４で取得された番組情報は、録画された放送番組の映像・音声データに関連付けられ、録画された放送番組のデータ情報として記録手段２０に記録される。
【００９７】
ここで記録されるデータ情報は、録画年月日、録画チャンネル、録画開始時刻、録画終了時刻、番組開始時刻、番組終了時刻、番組タイトル、番組ジャンルなどの録画に関する情報が含まれる。
【００９８】
本実施形態においては、上述した録画処理により図８に示すように複数の放送番組が記録手段２０に録画されており、放送番組「ドラマＡ−１」とこれに関連付けられた第１データ情報とが第１ファイル２０１として記録され、放送番組「ドラマＢ−１」とこれに関連付けられた第２データ情報とが第２ファイル２０２として記録され、放送番組「スポーツ」とこれに関連付けられた第３データ情報とが第３ファイル２０３として記録され、放送番組「ドラマＡ−２」とこれに関連付けられた第４データ情報とが第４ファイル２０４として記録され、放送番組「ドラマＢ−２」とこれに関連付けられた第５データ情報とが第５ファイル２０５として記録され、放送番組「ドラマＡ−３」とこれに関連付けられた第６データ情報とが第６ファイル２０６として記録されたものとする。
【００９９】
また、「ドラマＡ−１」の放送区間を「あ」、「い」、「う」、「え」、「お」とし、「ドラマＡ−２」の放送区間を「か」、「き」、「く」、「け」、「こ」とし、「ドラマＡ−３」の放送区間を「さ」、「し」、「す」、「せ」、「そ」とする。
【０１００】
本実施形態による放送番組記録再生装置３により複数の放送番組が連続再生されるときの動作について図８の説明図および図９のフローチャートを参照して説明する。
【０１０１】
まず、放送番組記録再生装置３の電源が投入された状態で、ユーザの操作により複数の録画番組に対する再生要求がユーザ制御手段１６において取得されると、この再生要求が再生コンテンツ選択手段２５に送出される。
【０１０２】
再生コンテンツ選択手段２５では、再生要求が取得されると記録手段２０に録画されている放送番組のデータ情報を取得するためのデータ情報取得要求が生成され、記録手段２０に送出される。
【０１０３】
記録手段２０においてデータ情報取得要求が取得されると、この要求に応答して記録手段２０に記録されている映像・音声データに関連付けられたデータ情報が取得され、再生処理手段１３を介して出力手段１４から外部の表示装置に送信され表示される。
【０１０４】
表示されたデータ情報の中からユーザの操作により同一シリーズの複数の録画番組に対する連続再生要求が取得されると、要求されたシリーズに関する情報を含む連続再生要求がユーザ制御手段１６において生成され、再生コンテンツ選択手段２５に送出される。
【０１０５】
本実施形態においては、記録手段２０に記録されているデータ情報である第１データ情報〜第６データ情報が外部の表示装置に表示され、この中から「ドラマＡ」のシリーズに対する連続再生が要求されたものとする。
【０１０６】
再生コンテンツ選択手段２５において、シリーズ「ドラマＡ」に関する情報を含む連続再生要求が取得されると、この要求がシリーズコンテンツ抽出手段２６に送出される。
【０１０７】
シリーズコンテンツ抽出手段２６においてシリーズ「ドラマＡ」に関する情報を含む連続再生要求が取得されると、シリーズ「ドラマＡ」に該当する録画番組が記録手段２０に記録されたデータ情報の中から抽出され、再生順序（第ｎ話→第ｎ+１話→第ｎ＋２話）の設定が行われる。
【０１０８】
ここでは、図８に示すようにシリーズ「ドラマＡ」に関する情報として第1データ情報から「ドラマＡ−１」、第４データ情報から「ドラマＡ−２」、および第６データ情報から「ドラマＡ−３」が抽出され、「ドラマＡ−１」→「ドラマＡ−２」→「ドラマＡ−３」の順序で再生されるように設定される。
【０１０９】
シリーズコンテンツ抽出手段２６において設定されたシリーズ「ドラマＡ」の再生順序の情報は、再生制御手段２１に送出され再生処理が開始される。
【０１１０】
再生制御手段２１においてシリーズ「ドラマＡ」の再生順序の情報が取得され再生処理が開始されると、この再生順序に従って再生制御手段２１において再生指示が生成され、記録手段２０に送出される。
【０１１１】
記録手段２０では、再生制御手段２１から取得した再生指示により記録されている「ドラマＡ−１」の映像・音声データが抽出され再生処理手段１３に送出される。
【０１１２】
再生処理手段１３で取得された「ドラマＡ−１」の映像・音声データは、出力手段１４を介して外部の表示装置に表示され再生される。
【０１１３】
このようにして再生が指示された「ドラマＡ−１」の再生処理が開始されると（Ｓ４１）、処理対象である再生中の「ドラマＡ−１」と同一シリーズの番組が過去に記録されているかが再生制御手段２１において判断される（Ｓ４２）。
【０１１４】
ここでは「ドラマＡ−１」と同一シリーズの「ドラマＡ−２」および「ドラマＡ−３」が記録されているため再生中の録画番組と同一シリーズの番組が過去に記録されていると判断され（Ｓ４２の「YES」）、スキップ区間検出手段２２において番組の開始後所定時間内に放送されるシリーズ共通のオープニング区間の検出が行われる（Ｓ４３）。
【０１１５】
このオープニング区間の検出処理は、第１実施形態または第２実施形態によるスキップ区間検出処理と同様の処理で行われる。
【０１１６】
ステップＳ４３においてオープニング区間が検出されたときには（Ｓ４４の「YES」）検出されたオープニング区間がスキップ処理されて再生処理が行われ（Ｓ４５）、オープニング区間が検出されないときには（Ｓ４４の「NO」）スキップ処理は行われずにステップＳ４６からのエンディング検出処理に移る。
【０１１７】
本実施形態においては、オープニング区間が検出された後ステップＳ４６のエンディング検出処理に移る。
【０１１８】
エンディング検出処理はスキップ区間検出手段２２で行われ、まずステップＳ４６で再生中の録画番組の番組終了時刻が記録手段２０の第１データ情報から取得される（Ｓ４６）。
【０１１９】
また、ＣＭ検出手段２７では、「ドラマＡ−１」の映像・音声データからのＣＭ区間の検出が行われる（Ｓ４７）。
【０１２０】
ＣＭ検出手段２７においてＣＭ区間が検出されると（Ｓ４８の「YES」）、このＣＭ区間の番組内における位置情報が取得される。
【０１２１】
ＣＭ検出手段２７で検出されたＣＭ区間の位置情報はスキップ区間検出手段２２に送出され、既に取得された番組終了時刻とＣＭ区間の位置情報との間の時間が予め設定された閾値（例えば「１０分」）と比較される。
【０１２２】
比較の結果、番組終了時刻とＣＭ区間の位置情報との間が閾値以内であったときには番組終了間際のＣＭであると判断され（Ｓ４９の「YES」）、ステップＳ５０に進み、再生処理を次に連続して再生する第２ファイル２０２の「ドラマＡ−２」の再生実行位置に切り替える処理が行われる（Ｓ５０）。
【０１２３】
ステップＳ５０において再生番組を切り替える処理が行われると、ユーザの操作により再生を停止するための再生停止要求がユーザ制御手段１６を介して再生制御手段２１で取得されたか否かが判断され（Ｓ５１）、再生停止要求が取得されたと判断されたときには（Ｓ５１の「YES」）再生制御手段２１において再生処理停止処理が行われ、再生停止要求が取得されていないと判断されたときには（Ｓ５１の「NO」）ステップＳ４１に戻り、切り替えられた再生番組「ドラマＡ−２」の再生処理が継続して行われる。
【０１２４】
「ドラマＡ−２」の再生処理が行われると、「ドラマＡ−１」の再生処理が行われたときと同様に番組終了間際のＣＭ区間の検出等が行われ、ステップＳ５０において「ドラマＡ−３」への再生番組の切替処理が行われる。
【０１２５】
ステップＳ４９において、番組終了時刻とＣＭ区間の位置情報との間が閾値以内でないときは番組終了間際のＣＭではないとスキップ区間検出手段２２で判断され（Ｓ４９の「NO」）、再生停止が要求されているか否かが判断される（Ｓ５１）。
【０１２６】
再生停止要求が取得されたと判断されたときには（Ｓ５１の「YES」）再生制御手段２１において再生処理停止処理が行われ、再生停止要求が取得されていないと判断されたときには（Ｓ５１の「NO」）ステップＳ４１に戻り、切り替えられた再生番組「ドラマＡ−２」の再生処理が継続して行われる。
【０１２７】
以上のようにして「ドラマＡ−１」→「ドラマＡ−２」→「ドラマＡ−３」の連続再生処理が行われることにより、「ドラマＡ−１」、「ドラマＡ−２」、および「ドラマＡ−３」の番組終了間際のＣＭ区間以降の放送区間がスキップされて連続再生が行われる。
【０１２８】
図８に示すように、再生を行う際にＣＭ区間がスキップされないようにＣＭスキップがＯＦＦ設定されている場合には、「ドラマＡ−１」のオープニング区間および番組終了間際のＣＭ区間以降の放送区間である「お」は再生されずに、連続する次の再生番組「ドラマＡ−２」の放送区間「か」に切り替えられて再生され、また、「ドラマＡ−２」のオープニング区間および番組終了間際のＣＭ区間以降の放送区間である「こ」は再生されずに、連続する次の再生番組「ドラマＡ−３」の放送区間「さ」に切り替えられて再生される。
【０１２９】
また、再生を行う際にＣＭ区間がスキップされるようにＣＭスキップがＯＮに設定されている場合には、「ドラマＡ−１」の番組終了間際のＣＭ区間の位置情報が検出されると、このＣＭ区間の位置情報以降の放送区間である「お」は再生されずに、連続する次の再生番組「ドラマＡ−２」の放送区間「か」に切り替えられて再生され、また、「ドラマＡ−２」の番組終了間際のＣＭ区間の位置情報が検出されると、このＣＭ区間以降の放送区間である「こ」は再生されずに、連続する次の再生番組「ドラマＡ−３」の放送区間「さ」に切り替えられて再生されることにより、「あ」→「い」→「う」→「え」→「か」→「き」→「く」→「け」→「さ」→「し」→「す」→「せ」のように再生される。
【０１３０】
以上の第３実施形態によれば、複数のコンテンツを連続して再生する際に、同一シリーズ番組内で共通するオープニング区間および各コンテンツの番組終了間際のＣＭ区間以降に放送される番組予告やプレゼント募集広告など番組本編の連続再生には必要とされない区間をスキップして連続再生処理を行うことができる。
【０１３１】
そのため、同一シリーズの番組を連続して視聴する際に、番組を楽しむ上でマイナス効果となる次回予告などが再生されないようにすることができ、視聴時間の効率化も図ることができる。
【０１３２】
本実施形態においては、番組情報の取得処理を行ってから続いて映像・音声データの録画処理を行ったが、この処理順には限定されず、映像・音声データの録画処理の停止時に番組情報の取得処理を行ってもよいし、また予約録画のように事前に録画要求が取得されているときには予め番組情報を取得しておいてもよい。ただし、番組延長などにより放送時間が変更になった放送番組を変更後の時間に合わせて録画するときには、録画時に番組情報を取得する必要がある。
【０１３３】
また、本実施形態においては、データ情報として記録する情報をＥＰＧ情報から取得したが、録画時にユーザが直接指定する録画開始時刻、録画終了時刻、ジャンルなどの情報を用いてもよく、また、これらのユーザが直接指定する情報とＥＰＧ情報とを併せて用いてもよい。
【０１３４】
また、本実施形態の図８においては、映像・音声データとデータ情報とを１つのファイルとして記録する場合について示したが、映像・音声データとデータ情報とを個別のファイルとして記録し、互いに対応するファイルを関連付けるように管理してもよい。
【０１３５】
また、本実施形態においては、抽出された同一シリーズの番組を連続再生する場合について説明したが、これには限定されず、ユーザが手動で任意に指定した複数の録画番組を連続再生するときに用いてもよい。
【０１３６】
また、本実施形態においては、連続再生する順序の設定はシリーズ順で行う場合について説明したが、これには限定されず、「日付順」、「ジャンル順」、「ユーザ履歴順」、「コンテンツ指定順」、「番組優先度順」など様々な順序による設定が可能であり、これらの設定は連続再生機能を利用する目的によりユーザが選択して用いることができる。
【０１３７】
例えば、指定された複数の番組が一連の連続ドラマであるならば、「日付順」または「シリーズ順」で再生されることが適切であり、「シリーズ順」に設定されたときには一部の録画番組に再放送枠のデータがあり録画日の順序が前後していても、視聴するのに適切な順序で再生することができる。
【０１３８】
また、指定された複数の録画番組が何の共通性もないような場合には、ユーザが嗜好により事前に優先度を設定しておいた「ジャンル順」や、ユーザの日ごろの視聴嗜好を基に設定された「ユーザ履歴順」に基づいて再生順序を設定するといったように、指定されたコンテンツ群によってその再生順序の指定方法を選択できるようにしてもよい。
【０１３９】
《第４実施形態》
〈第４実施形態による放送番組記録再生装置の構成〉
本発明の第４実施形態では、録画された複数の番組の中から同一シリーズの録画番組を抽出し、抽出された同一シリーズの録画番組の過去の再生処理におけるユーザの操作履歴を利用してスキップ処理または番組切り替え処理を行う放送番組記録再生装置について説明する。
【０１４０】
〈第４実施形態による放送番組記録再生装置の構成〉
本発明の第４実施形態による放送番組記録再生装置４の構成について、図１０を参照して説明する。
【０１４１】
本実施形態による放送番組記録再生装置４は、ユーザ再生操作履歴管理手段２８と、再生制御履歴反映位置取得手段２９とを有する他は第１実施形態の放送番組記録再生装置１の構成と同様であるため詳細な説明は省略する。
【０１４２】
〈第４実施形態による放送番組記録再生装置４の動作〉
本実施形態による放送番組記録再生装置４により放送番組が録画されるときの動作は、第１実施形態または第３実施形態と同様であるため詳細な説明は省略する。
【０１４３】
本実施形態による放送番組記録再生装置４により放送番組が再生されるときの動作について、図１１のフローチャートを参照して説明する。
【０１４４】
まず、放送番組記録再生装置４の電源が投入された状態で、ユーザの操作により録画番組に対する再生要求が取得されると、この再生要求が再生制御手段２１に送出される。
【０１４５】
再生制御手段２１では、再生要求が取得されるとこの再生要求に対応する録画番組の再生指示が生成され、記録手段２０に送出される。
【０１４６】
記録手段２０では、再生制御手段２１から取得した再生指示により記録されている映像・音声データが抽出され、再生処理手段１３に送出される。
【０１４７】
再生処理手段１３で取得された映像・音声データは、出力手段１４を介して外部の表示装置に表示され再生される。
【０１４８】
このようにして再生が指示された録画番組の再生処理が開始されると、この再生処理が開始されたことが再生制御手段２１からスキップ区間検出手段２２に通知され、再生処理をスキップするスキップ区間の検出処理が行われる。
【０１４９】
本実施形態におけるスキップ区間の検出処理について、図１１のフローチャートを参照して説明する。
【０１５０】
録画番組の再生処理が開始されたことが再生制御手段２１からスキップ区間検出手段２２に通知されスキップ区間検出処理が開始されると（Ｓ６１）、まず処理対象である再生中の録画番組と同一シリーズの番組が過去に記録されているかがスキップ区間検出手段２２において判断される（Ｓ６２）。
【０１５１】
スキップ区間検出手段２２において再生中の録画番組と同一シリーズの番組が過去に記録されていると判断されたときは（Ｓ６２の「YES」）、再生中の録画番組の番組開始時刻および番組終了時刻が記録手段２０から取得される（Ｓ６３）。
【０１５２】
スキップ区間検出手段２２において再生中の録画番組の番組開始時刻および番組終了時刻が記録手段２０から取得されると、再生中の録画番組が番組開始位置から一定時間内であるか否かが判断される（Ｓ６４）。
【０１５３】
スキップ区間検出手段２２において再生中の録画番組が番組開始位置から一定時間内であると判断されると（Ｓ６４の「YES」）、ユーザの操作によるオープニング区間のスキップなどの再生制御操作要求があるか否かが判断される（Ｓ６５）。
【０１５４】
ユーザの操作による再生制御操作要求があれば（Ｓ６５の「YES」）この要求に対応する再生制御が実行され（Ｓ６６）、実行された再生制御操作の履歴がユーザ再生操作履歴管理手段２８に保存される（Ｓ６７）。
【０１５５】
実行された再生制御操作の履歴がユーザ再生操作履歴管理手段２８に保存されたとき、ステップＳ６４において再生中の録画番組が番組開始位置から一定時間内ではないと判断されたとき（Ｓ６４の「NO」）、または、ステップＳ６５において再生制御操作要求がないと判断されたとき（Ｓ６５の「NO」）は、再生中の録画番組と同一シリーズの番組に関するユーザの操作によるスキップ処理または切り替え処理などの再生制御操作履歴がユーザ再生操作履歴管理手段２８から検索される（Ｓ６８）。
【０１５６】
検索の結果、再生中の録画番組と同一シリーズの番組に関するユーザの再生制御操作履歴があるときには（Ｓ６８の「YES」）、この再生制御操作履歴を反映させるためのスキップ先または切り替え先の位置が再生制御履歴反映位置取得手段２９において取得される（Ｓ６９）。
【０１５７】
ステップＳ６９において再生制御操作履歴を反映させるための位置が取得されると、取得された位置が再生中の番組内のスキップ先を示しているか、再生中の番組以外の録画番組内の切り替え先を示しているか判断される（Ｓ７０）。
【０１５８】
再生制御操作履歴を反映させるための位置が再生中の番組内のスキップ先を示していると判断されたときは（Ｓ７０の「YES」）、このスキップ先の情報がスキップ区間検出手段２２に送出されてスキップ区間情報が生成され、再生制御手段２１に送出される。
【０１５９】
再生制御手段２１では、取得されたスキップ区間情報に従って指示された区間がスキップされて再生処理が行われるように制御が行われる（Ｓ７１）。
【０１６０】
ステップＳ７１においてスキップ処理が行われると、ステップＳ６１に戻る。
【０１６１】
また、ステップＳ７０において、再生制御操作履歴を反映させるための位置が再生中の番組以外の録画番組の切り替え先を示していると判断されたときは（Ｓ７０の「NO」）、この切り替え先の情報がスキップ区間検出手段２２に送出されて切り替え先の番組および位置の情報を含む切り替え情報が生成され再生制御手段２１に送出される。
【０１６２】
再生制御手段２１では、取得された切り替え情報に従って指示された切り替え先に再生が切り替わるように制御が行われる（Ｓ７２）。
【０１６３】
ステップＳ７２において再生番組の切り替えが行われると、再生制御手段２１において再生停止要求が取得されたか否かが判断され（Ｓ７３）、再生停止要求が取得されたと判断されたとき（Ｓ７３の「YES」）には処理が終了され、再生停止要求が取得されていないと判断されたときには（Ｓ７３の「NO」）ステップＳ６１に戻る。
【０１６４】
また、ステップＳ６２において同一シリーズの録画番組がないと判断されたときは（Ｓ６２の「NO」）、再生中の番組が終了したか否かが判断され（Ｓ７４）、番組が終了したと判断されたときは（Ｓ７４の「YES」）処理が終了され、番組が終了していないと判断されたときは（Ｓ７４の「NO」）、ステップＳ７３に移り再生停止要求が取得されれば処理が終了される。
【０１６５】
以上の第４実施形態によれば、記録手段内に録画された同一シリーズ番組に対するユーザの再生操作履歴を参照して再生制御を行うことにより、オープニング区間をスキップしたりエンディング区間を再生せずに次のコンテンツに切り替える等のユーザの操作履歴を反映した再生制御を行うことができる。
【０１６６】
《第５実施形態》
〈第５実施形態による放送番組記録再生装置の構成〉
本発明の第５実施形態では、録画された複数の番組の中から同一シリーズの録画番組を抽出し、抽出された同一シリーズの録画番組の過去の再生処理におけるユーザの操作履歴およびＣＭの検出情報を利用してスキップ処理または番組切り替え処理を行う放送番組記録再生装置について説明する。
【０１６７】
〈第５実施形態による放送番組記録再生装置の構成〉
本発明の第５実施形態による放送番組記録再生装置５の構成について、図１２を参照して説明する。
【０１６８】
本実施形態による放送番組記録再生装置５は、ＣＭ検出手段２７と、ユーザ再生世相さ履歴管理手段２８とを有する他は第１実施形態の放送番組記録再生装置１の構成と同様であるため詳細な説明は省略する。
【０１６９】
〈第５実施形態による放送番組記録再生装置５の動作〉
本実施形態による放送番組記録再生装置５により放送番組が録画されるときの動作は、第１実施形態または第３実施形態と同様であるため詳細な説明は省略する。
【０１７０】
本実施形態による放送番組記録再生装置５により放送番組が再生されるときの動作について、図１３のフローチャートを参照して説明する。
【０１７１】
図１３のステップＳ８１〜Ｓ８７のオープニング区間等のスキップ処理は、第４実施形態における図１１のステップＳ６１〜Ｓ６７の処理と同様であるため、詳細な説明は省略する。
【０１７２】
ステップＳ８１〜Ｓ８７においてユーザの操作履歴を参照したオープニング区間等のスキップ処理が行われると、ステップＳ８８〜Ｓ９１において番組終了間際のＣＭ区間以降の区間がエンディング区間として検出され、このエンディング区間が検出されると次に再生される番組への切り替え処理が行われる。
【０１７３】
このエンディング区間における次に再生される番組への切り替え処理は、第３実施形態における図９のステップＳ４７〜５０の処理と同様であるため詳細な説明は省略する。
【０１７４】
ステップＳ９２において再生停止要求がなければ（Ｓ９２の「NO」）、再生中の録画番組と同一シリーズの番組に関するユーザの操作による再生制御操作履歴がユーザ再生操作履歴管理手段２８から検索される。
【０１７５】
検索の結果、再生中の録画番組と同一シリーズの番組に関するユーザの再生制御操作履歴があるときには（Ｓ９３の「YES」）この再生制御操作履歴がスキップ区間検出手段２２で取得され（Ｓ９４）、この再生制御操作履歴に対応する再生中の録画番組内の位置付近の映像・音声データがスキップ区間検出手段２２で取得される（Ｓ９５）。
【０１７６】
スキップ区間検出手段２２では、ステップＳ９５で取得された映像・音声データの中から、取得された再生制御操作履歴のスキップ区間の映像・音声データと同一のデータが再生中の録画番組のスキップ区間として検出される（Ｓ９６）。
【０１７７】
スキップ区間検出手段２２では、検出されたスキップ区間に基づいてスキップ区間指定情報が生成されて再生制御手段２１に再生制御手段２１に送出され、再生処理に用いられることによりスキップ再生処理が行われる（Ｓ９７）。
【０１７８】
ステップＳ９７のスキップ再生処理が終了したとき、またはステップＳ９３において再生中の録画番組と同一シリーズの番組に関するユーザの再生制御操作履歴がないと判断されたときは（Ｓ９３の「NO」）、ステップＳ８１に戻る。
【０１７９】
以上の第５実施形態によれば、記録手段内に録画された同一シリーズ番組に対するユーザの再生操作履歴の位置、映像データ、およびＣＭ検出位置を参照して再生制御を行うことにより、より正確にオープニング区間やエンディング区間を検出し、これらの区間を再生せずに次のコンテンツに切り替える等のユーザの操作履歴を反映した再生制御を行うことができる。
【０１８０】
また、上記の第３実施形態および第５実施形態においては、次に再生する録画番組に切り替える位置をＣＭ区間を検出することにより設定したが、これには限定されず、映像データを解析することにより「予告」の文字が表示されたことを検出したとき、映像データを解析することによる予め登録されたエンディング画像を検出したとき、音声データを解析することにより予め登録されたエンディング音楽を検出したとき、ストリームを解析することにより映像・音声データに予め埋め込まれたエンディング部分等を示す識別情報を検出したときなど、予め設定された情報に基づいてスキップ区間を検出したり再生番組を切り替えたりしてもよい。
【０１８１】
また、上記の第１実施形態〜第５実施形態の放送番組記録再生装置の各手段の機能構成をプログラム化してコンピュータに組み込むことにより、当該コンピュータを放送番組記録再生装置として機能させる放送番組記録再生用プログラムを構築することも可能である。
【０１８２】
また、上記第１実施形態〜第５実施形態では、本装置内に放送選局手段１２（チューナ）を設けて説明したが、本発明ではこれに限らず、本装置とは別に放送選局手段１２（チューナ）を設けて接続するようにしても勿論良い。
【図面の簡単な説明】
【０１８３】
【図１】本発明の第１実施形態による放送番組記録再生装置の構成を示すブロック図である。
【図２】本発明の第１実施形態による放送番組記録再生装置の再生処理の動作を示すフローチャートである。
【図３】本発明の第１実施形態による放送番組記録再生装置のスキップ区間検出処理の動作を示すフローチャートである。
【図４】本発明の第２実施形態による放送番組記録再生装置のスキップ区間検出手段の構成を示すブロック図である。
【図５】本発明の第２実施形態による放送番組記録再生装置のスキップ区間検出処理の動作を示すフローチャートである。
【図６】本発明の第２実施形態による放送番組記録再生装置において録画された放送番組データからスキップ区間を検出する動作を示す説明図である。
【図７】本発明の第３実施形態による放送番組記録再生装置の構成を示すブロック図である。
【図８】本発明の第３実施形態による放送番組記録再生装置において録画した放送番組データおよびデータ情報と、連続再生する録画番組データとを示す説明図である。
【図９】本発明の第３実施形態による放送番組記録再生装置のスキップ区間検出処理の動作を示すフローチャートである。
【図１０】本発明の第４実施形態による放送番組記録再生装置の構成を示すブロック図である。
【図１１】本発明の第４実施形態による放送番組記録再生装置のスキップ区間検出処理の動作を示すフローチャートである。
【図１２】本発明の第５実施形態による放送番組記録再生装置の構成を示すブロック図である。
【図１３】本発明の第５実施形態による放送番組記録再生装置のスキップ区間検出処理の動作を示すフローチャートである。
【符号の説明】
【０１８４】
１〜５…放送番組記録再生装置
１３…再生処理手段
２０…記録手段
２２…スキップ区間検出手段
２８…ユーザ再生操作履歴管理手段
２２４…データ蓄積手段
【図１】
2008193585.tif 000003
【図２】
2008193585.tif 000004
【図３】
2008193585.tif 000005
【図４】
2008193585.tif 000006
【図５】
2008193585.tif 000007
【図６】
2008193585.tif 000008
【図７】
2008193585.tif 000009
【図８】
2008193585.tif 000010
【図９】
2008193585.tif 000011
【図１０】
2008193585.tif 000012
【図１１】
2008193585.tif 000013
【図１２】
2008193585.tif 000014
【図１３】
2008193585.tif 000015